【事件の表示】
　平成　５年特許願第１８６２８２号「イメージセンサ」拒絶査定に対する審判事件［平成　７年　２月１４日出願公開、特開平　７−　４６３７０］について、次のとおり審決する。
【結　論】
　本件審判の請求は、成り立たない。
【理　由】
１．手続の経緯・本願発明　
　本願は、平成５年７月２８日の出願であって、平成１３年９月１４日付で拒絶査定がなされ、これに対して、同年１０月２５日に拒絶査定に対する審判請求がなされるとともに、平成１３年１０月２９日付で手続補正がなされ、平成１５年１月８日付で当審において拒絶の理由が通知され、平成１５年３月１２日付で意見書と手続補正書が提出され、平成１５年４月１７日付で平成１５年３月１２日付けの手続補正を却下する決定をしたものである。尚，この補正却下の決定は平成１５年６月５日に確定した。
　
　したがって、本願請求項１に係る発明は、平成１３年１０月２９日付けの手続補正書により補正された明細書及び図面の記載されたものとなり、その特許請求の範囲の請求項１に記載された次のとおりのものと認める。（以下、「本願発明」という）
　「【請求項１】　原稿面に光を照射する発光部と、原稿面からの反射光を集光するための光学系と、該光学系からの光を受光する受光部とを有するイメージセンサにおいて、
　上記発光部が異なる色の光を照射する複数色の光源を有し、
　周期的な切替パルス信号に同期して上記複数色の光を順次切り替えて原稿面に照射し、
　切替から前記切替パルス間に存在するパルスが入力されるまでの間に前記受光部に蓄積された信号をダミーとして排出し、その後次の切替パルスまでの間に前記受光部に蓄積された信号を読取信号として出力することを特徴とするイメージセンサ。」
　
２．引用例
（１）引用例１（特開平２−５８４６９号公報）
　特開平２−５８４６９号公報（以下、「引用例１」という。）には、次の事項が記載されている。
　（ア）「（１）原稿を照明する光源と、前記原稿からの反射光を伝達して集光するための光学系と、前記反射光の光情報を電気信号に変換するイメージセンサを具備する画像読取装置において、前記光源として青色ＬＥＤアレイ、緑ＬＥＤアレイ及び赤色ＬＥＤアレイを用いた事を特徴とするカラー画像読取装置。」（引用例１の１頁下左欄５〜１１行）
　（イ）「第１図の光源である赤色ＬＥＤアレイ１−ｒ、緑色ＬＥＤアレイ１−ｇ、青色ＬＥＤアレイ１−ｂは、それぞれ、赤色、緑色、青色発光色のＬＥＤチップを、ガラスエポキシ樹脂、フェノール樹脂等で形成された基板上に直線的に列べて形成されている。ここで、赤色及び緑色ＬＥＤとしては、隣化ガリウム（ＧａＰ）を基板として形成されている。青色のＬＥＤとしては、立方晶窒化ホウ素（ｃ−ＢＮ）、ガリウムヒ素（ＧａＡｓ）、セレン化亜鉛（ＺｎＳｅ）等を基板として形成されている。
　この様に形成されたＬＥＤアレイの発光特性を第２図に示す。第２図からわかる様に、可視光領域（４００ｎｍ〜７００ｎｍ）を十分カバーしており、カラー画像読取用光源として使用する事ができる。ここでそれぞれのＬＥＤの発光中心波長は、添加物、例えば、塩素、ガリウム、アルミニウム等の量や種類によって変化させる事ができる。即ち、赤色ＬＥＤは６００〜８００ｎｍの間で、緑色ＬＥＤは５００〜６００ｎｍの間で、青色ＬＥＤは４００〜５００ｎｍの間で発光中心波長を変化させる事ができる。
　又、第３図から周囲温度や点灯経過時間によって光量がほとんど変化しないことがわかる。
　この様に構成されたＬＥＤアレイ１−ｒ、１−ｇ、１−ｂは、不図示の駆動回路により第４図のタイミングチャートにそって点灯される。まず、
赤色ＬＥＤアレイ１−ｒに印加電圧Ｓｒが加えられ、赤色ＬＥＤアレイ１−ｒが点灯する
これと同時にモノクロイメージセンサ４に読取スタートパルスＳｓｔが加えられ
イメージセンサから読取信号Ｓｏｕｔが出力される
カラー原稿２上の赤色成分の読取りが可能となる
順次緑色成分、青色成分が読取られ
　
　これらの記載より引用例１には次のことが記載されている。
「原稿を照明する光源と、前記原稿からの反射光を伝達して集光するための光学系と、前記反射光の光情報を電気信号に変換するイメージセンサを具備する画像読取装置において、
　前記光源として青色ＬＥＤアレイ、緑色ＬＥＤアレイ及び赤色ＬＥＤアレイを用い、
　まず、赤色ＬＥＤアレイに印加電圧Ｓｒが加えられ、赤色ＬＥＤアレイが点灯し、これと同時にモノクロイメージセンサに読取スタートパルスＳｓｔが加えられ、赤色ＬＥＤアレイにより照射されたカラー原稿の反射光がセルフォックレンズアレイで集光され、光電変換され、イメージセンサから読取信号Ｓｏｕｔが出力され、これによりカラー原稿上の赤色成分の読取りが可能となり、このようにして順次緑色成分、青色成分が読取られることにより、カラー原稿の読取りが可能となることを特徴とするカラー画像読取装置。」 
　
（２）引用例２（特開平５−１１０７５９号公報）
　また、特開平５−１１０７５９号公報（以下、「引用例２」という。）の従来例には、次の事項が記載されている。
　（ウ）「【０００２】
【従来の技術】従来、この種の装置としては、例えば図５に示すような線順次カラー読取装置が知られている。この装置には、原稿２０を載せるための透明ガラスからなる原稿台２１の下方に赤光源２２、緑光源２３、青光源２４が設けられ、さらにこれらの下方にミラー２５、レンズ２６からなる光学系とＣＣＤリニアイメージセンサ２７が設けられている。このＣＣＤリニアイメージセンサ２７は、通常複数の受光素子を１ラインに配列してなるセンサ部と読出しゲートとＣＣＤ構造の転送レジスタと転送レジスタの終段に接続された出力部とを有して成る。この装置においてカラー画像を読み取る場合には、赤光源２２、緑光源２３、青光源２４を順次点灯して各色に対する原稿２０からの反射光をＣＣＤリニアイメージセンサ２７に導き、ＣＣＤリニアイメージセンサ２７にて得られた各色の画像信号に基づいて順次ライン毎の読取りを行う。読取動作は、図６に示すように行われる。即ち、例えば赤光源２２を点灯してセンサ部に赤の信号電荷を蓄積した後読出しゲートに読出しパルスＰ１を印加して信号電荷を転送レジスタに転送する。そして転送クロックパルスφＨによって信号電荷を転送レジスタ内にわたって転送し、出力部より赤の信号を出力する。次に、赤の残光分電荷を読出すための残光読出しパルスＰ２を読み出しゲートに印加して残光分の電荷を転送レジスタに転送し、転送クロックパルスφＨによって残光分の電荷を掃き捨てる。以下、緑信号、青信号についても同様に行う。」（引用例２の２頁１欄１４〜４０行）
　
３．対比
　そこで、本願発明と引用例１の発明とを対比すると、
　引用例１の「光源」は、本願発明の「発光部」に、
　引用例１の「青色ＬＥＤアレイ、緑ＬＥＤアレイ及び赤色ＬＥＤアレイ」は、本願発明の「複数色の光源」にそれぞれ相当し、
　引用例１はカラー画像読取装置であり、本願発明はイメージセンサの発明であるが、引用例１もイメージセンサから読取信号が出力されるものであることを考慮すれば、引用例１の発明の末尾をイメージセンサとすることについてさほど困難さはないものであるから、
　両者は、
「原稿面に光を照射する発光部と、原稿面からの反射光を集光するための光学系と、該光学系からの光を受光する受光部とを有するイメージセンサにおいて、
　上記発光部が異なる色の光を照射する複数色の光源を有し、
　上記複数色の光を順次切り替えて原稿面に照射し、
　読取信号を出力することを特徴とするイメージセンサ。」
の点で一致し、下記の点において相違する。
　
　（相違点）
　（相違点１）
　複数色の光を順次切り替えて原稿面に照射するのに、本願発明では、周期的な切替パルス信号に同期して複数色の光を順次切り替えて原稿面に照射するのに対して、引用例１では、各色のＬＥＤアレイに印可する印加電圧を順次切り替えることにより複数色の光を順次切り替えて原稿面に照射している点。
　（相違点２）
　読取信号の出力が、本願発明では、切替から前記切替パルス間に存在するパルスが入力されるまでの間に前記受光部に蓄積された信号をダミーとして排出し、その後次の切替パルスまでの間に前記受光部に蓄積された信号を読取信号として出力するのに対して、引用例１では、赤色ＬＥＤアレイに印加電圧Ｓｒが加えられ、赤色ＬＥＤアレイが点灯し、これと同時にモノクロイメージセンサに読取スタートパルスＳｓｔが加えられ、赤色ＬＥＤアレイにより照射されたカラー原稿の反射光がセルフォックレンズアレイで集光され、光電変換され、イメージセンサから読取信号Ｓｏｕｔが出力され、これによりカラー原稿上の赤色成分の読取りが可能となり、このようにして順次緑色成分、青色成分が読取られる点。
　
４．当審の判断
　上記相違点について検討すると、
　上記相違点１について
　引用例１では、各色のＬＥＤアレイに印加する印加電圧の切替は周期的に行われており、この印加電圧の切替と同時にイメージセンサに読取スタートパルスＳｓｔが加えられている。この周期的に切り替えられる印加電圧の切替を周期的な切替パルスに同期してするようにすることは、当業者が容易に考えられることである。
　
　上記相違点２について
　一般的に、イメージセンサに読取に適しない信号が存在する場合に、それらの信号は検出信号として用いないようにすることは当然のことであり、また、周期的に、必要な信号と、不必要な信号を分けて出力するようにすることも上記引用例２等により周知のことであるから、引用例１において、色の光の切替を切替パルスにより行い、切替から前記切替パルス間に存在するパルスが入力されるまでの間に前記受光部に蓄積された信号をダミーとして排出し、その後次の切替パルスまでの間に前記受光部に蓄積された信号を読取信号として出力するようにすることは、当業者が容易に考えられることと認められる。
　
５．むすび
　　したがって、本願発明は、引用刊行物に記載された発明及び周知技術に基いて当業者が容易に発明をすることができたものであるので、特許法第２９条第２項の規定により特許を受けることができない。
　　よって、結論のとおり審決する。